(57)【要約】【課題】ＩＴＳ車載器１７は、ＤＳＲＣのデータ送受に対応しており、路側機１１の通信エリア内への進入に伴い、路側機１１から有益な広告情報の配信を受けることができるようになっている。ＩＴＳ車載器１７が路側機１１から受信する広告情報が、ＩＴＳ車載器１７の各ユーザに一層、適合したものとなるように、する。【解決手段】ＩＴＳ車載器１７は、路側機１１の通信エリア内への進入に伴い、路側機１１からの広告情報の配信に先立ち、ＩＴＳ車載器１７のユーザの嗜好情報及び／又は過去立寄り地情報を路側機１１へ送信する。路側機１１は、ユーザ嗜好情報に過去立寄り地情報を加味して選択した広告情報を選別して、ＩＴＳ車載器１７へ配信する結果、広告情報に関するユーザの満足度が増大する。【選択図】図４
2010186480.tif 000002
【特許請求の範囲】
【請求項１】
通信エリアへ進入して来た車載器へ該車載器のユーザの予め設定した嗜好情報に応じたコンテンツ情報を無線配信するコンテンツ情報配信手段、
前記車載器から、駐車地点が過去の立寄り地として適正なものと判断された過去の立寄り地に係る過去の立寄り地情報を受信する立寄り地情報受信手段、及び
前記コンテンツ情報配信手段が前記車載器へ配信するコンテンツ情報を嗜好情報と前記過去の立寄り地情報とに基づく配信情報に関連付けるコンテンツ情報関連付け手段、
を設けたことを特徴とする路側装置。
【発明の詳細な説明】
【技術分野】
【０００１】
本発明は、ＤＳＲＣ（Dedicated Short Range Communication：狭域通信）等の無線通信を利用して路車間通信を行う車載器、路側装置、制御方法及びプログラムに関する。
【背景技術】
【０００２】
特許文献１はＤＳＲＣを利用する路車間通信システムを開示する（特許文献１の図１）。該路車間通信システムでは、路側機の通信エリア内に進入した自動車の車載器は、路側機から広告情報を電波で受信して、ナビ部のディスプレイに表示するようにしている（特許文献１の段落００２４）。また、車載器では、広告情報に含まれる位置情報、ＵＲＬ及び電話番号に基づき自動的に目的地設定、ＨＰ接続及びダイヤルが実施されるようになっている（特許文献１の図４のＳ１２，Ｓ１４，Ｓ１６）。
【０００３】
特許文献２は、車載情報端末装置が情報センタから広告情報と共に、該広告情報に対応付けられた地域情報及び時間帯情報を電波で受信し（特許文献２の図１）、該広告情報（特許文献２の図４）を該地域情報に係る地域及び該時間帯情報に係る時間帯に表示することを開示する（特許文献２の図５のＳ１４〜Ｓ１６）。
【０００４】
特許文献３はＤＳＲＣを利用した広告配信システムを開示する（特許文献３の図１）。該広告配信システムでは、嗜好情報が車載器から路側装置へ通知され（特許文献３の段落００１７）、路側装置は該嗜好情報に基づき選別した広告情報を車載器へ送信し、車載器がこれを再生するようになっている（特許文献３の段落００２８，００２９）。
【０００５】
路車間のデータ伝送形式は、基本的には５．８ＧＨｚ帯ＤＳＲＣ通信における個別通信によるプッシュ型情報配信方式で配信され、ダウンリンク情報には広告情報が含められているとともに、アップリンク情報には車載器搭載自動車の過去立寄り地情報が含められている。路側装置は、過去立寄り地情報に基づきユーザごとに適切な広告情報を選別し、これを車載器へ送信する。
【０００６】
従来の過去立寄り地情報では、エンジンスイッチが切になった時、すなわち車載器の電源が切られた時に、その時の現在地が立寄り地として登録されるようになっている。電源が切られた時に、立ち寄り地が登録できない場合、次に電源を投入されたときに登録しても良い。
【先行技術文献】
【特許文献】
【０００７】
【特許文献１】特開２００１−１０１５７８号公報
【特許文献２】特開２００４−２７９５０９号公報
【特許文献３】特開２００５−１３４７０７号公報
【発明の概要】
【発明が解決しようとする課題】
【０００８】
環境問題への関心の高まりに伴い、信号待ちや一時停車時にエンジンを切るアイドリングストップが増えている。従来の車載器では、このようなアイドリングストップが行われた地点も、車載器の電源が切られる結果として過去立寄り地として過去立寄り地情報に登録されてしまう。アイドリングストップの地点はユーザが自動車から降りて買物等を行う実質的な駐車ではないので、アイドリングストップの地点が含まれた過去立寄り地情報は、ユーザごとに有益な広告情報を選別する場合の基にすることの弊害となってしまう。また、ユーザは自動車を自宅、知人宅、勤務場所等で駐車するが、このような自宅等は、すでに会員情報として知得済みとなっていたり、配信コンテンツの選別の参考情報として役立たなかったりする。また、過去立寄り地情報の登録数制限のために大事な駐車地点の情報が不要な駐車地点の情報により上書きされてしまい、大事な過去立寄り地の情報が減ってしまう問題がある。
【０００９】
特許文献１〜３は、広告情報の配信について言及するものの、過去立寄り地情報についてなんらの示唆も行っていない。
【００１０】
本発明の目的は、アイドリングストップ等に対処して価値の高い過去立寄り地情報を生成することができる車載器、路側装置、制御方法及びプログラムを提供することである。
【課題を解決するための手段】
【００１１】
本発明によれば、車載器の電源が切られた地点について、それが広告情報の選別等の基にする立寄り地として適正であるか否かを判定する。そして、適正でないものについては、アップリンク情報に含めないようにしたり、路側装置において過去立寄り地情報から除外されるようにする。適正か否かは、具体的には、（ａ）車載器の電源が切られた地点における駐車時間が所定時間以内であるか否か、（ｂ）該地点を地図データと照合して交差点手前の道路等、駐車地点として常識上、あり得ない地点であるか、又は（ｃ）ユーザが予め立寄り地として除外する設定の地点、地域範囲若しくは時間帯に含まれている駐車地点であるか否かに基づき判定される。
【００１２】
本発明の車載器は、路側無線装置の通信エリアへの進入に伴い、過去の立寄り地を含むアップリンク情報を前記路側装置へ無線で送信するものであって、次のものを備える。
前記車載器の電源が切られた地点を駐車地点として検出する駐車地点検出手段、
検出した駐車地点がアップリンク情報の過去の立寄り地として適正なものであるか否かを判定する判定手段、及び
検出した駐車地点がアップリンク情報の過去の立寄り地として適正なものであれば該駐車地点を前記アップリンク情報の過去の立寄り地として登録する過去立寄り地登録手段。
【００１３】
本発明の路側装置は、路側装置の通信エリアへ進入して来た車載器から、過去立寄り地を含むアップリンク情報を無線で受信するものであって、次のものを備えている。
アップリンク情報の過去の立寄り地が、前記車載器のユーザへのコンテンツ配信の基にするユーザ情報として適正なものであるか否かを判定する判定手段、及び
アップリンク情報の過去の立寄り地が立寄り地として不適正なものであれば該過去立寄り地を前記ユーザ情報から除外する除外手段。
【００１４】
本発明の制御方法は、路側機の通信エリアへの進入に伴い、過去立寄り地を含むアップリンク情報を前記路側機へ無線で送信する車載器の制御方法であって、次のステップを備えている。
前記車載器の電源が切られた地点を駐車地点として検出する駐車地点検出ステップ、
検出した駐車地点がアップリンク情報の過去立寄り地として適正なものであるか否かを判定する判定ステップ、及び
検出した駐車地点がアップリンク情報の過去立寄り地として適正なものであれば該駐車地点を前記アップリンク情報の過去立寄り地として登録する過去立寄り地登録ステップ。
【００１５】
本発明の制御方法は、路側無線装置の通信エリアへの進入に伴い、過去の立寄り地を含むアップリンク情報を前記路側装置へ無線で送信する車載器の制御方法であって、次のステップを備えている。
前記車載器の電源が切られた地点を駐車地点として検出する駐車地点検出ステップ、
検出した駐車地点がアップリンク情報の過去の立寄り地として適正なものであるか否かを判定する判定ステップ、及び
検出した駐車地点がアップリンク情報の過去の立寄り地として適正なものであれば該駐車地点を前記アップリンク情報の過去の立寄り地として登録する過去立寄り地登録ステップ。
【００１６】
本発明のプログラムは前述の本発明の車載器の各手段としてコンピュータを機能させる。
【発明の効果】
【００１７】
本発明によれば、車載器がアップリンク情報に含める過去立寄り地や路側装置が受信したアップリンク情報に含まれる過去立寄り地を選別することができる。
【図面の簡単な説明】
【００１８】
【図１】路車間ＤＳＲＣシステムの概略図である。
【図２】データ伝送態様の説明図である。
【図３】ダウンリンクで使用する各ＩＤに割り当てる分類表である。
【図４】路側装置−ＩＴＳ車載器間のトランザクションで実施される各機器間の通信及び処理を示す図である。
【図５】ＩＴＳ車載器から路側装置へ送られるアップリンク情報のデータ概略説明図である。
【図６】車載器のブロック図である。
【図７】路側装置のブロック図である。
【図８】車載器制御方法のフローチャートである。
【図９】路側装置制御方法のフローチャートである。
【発明を実施するための形態】
【００１９】
図１はタウンカーライフナビマルチコンテンツ形式のデータに基づく路車間ＤＳＲＣシステム１０の概略図である。路側機１１は、サーバ１２と共に路側装置１５を構成し、有線又は無線でサーバ１２へ接続されている。サーバ１２は、さらに、インタネット等のネットワークを介して別のサーバとデータを送受自在になっている。路側機１１は、長さが数ｍ〜３０ｍのエリアに存在する自動車１３に搭載されているＩＴＳ車載器１７とは５．８ＧＨｚ帯の電波を使ってデータを送受する。ＩＴＳ車載器１７はＤＳＲＣ部１８及びナビ部１９を有している。
【００２０】
図２はデータ伝送態様の説明図である。ダウンリンクでは、データをその種類に応じて分類し、分類ごとにＩＤコード"００"，"０１"，"０２"，〜を割り振っている。マルチコンテンツ形式のデータ伝送では、データが情報グループを単位に括られ、各情報グループは先頭にＩＤ＝"００"の分類データをもつ。ＩＤ＝"００"の分類データは、その情報グループに含まれているＩＤにはどのようなものがあるかの構成情報となっている。
【００２１】
図３はダウンリンクで使用する各ＩＤに割り当てる分類表である。ＩＤ＝００は構成ＩＤ情報（データを構成するIDを記述する領域）の分類となっている。ＩＤ＝０１は事業者の分類となっており、サービス事業者コード（サービス事業者を特定できる事業者コード）、サービス事業者表示テキスト（ナビ表示用サービス事業社名（サービス名）テキスト情報）、及びサービス事業者表音文字列（ナビ発話用サービス事業社名（サービス名）表音文字列情報）が含まれる。
【００２２】
ＩＤ＝０２はコンテンツの分類となっており、企業コード（コンテンツの情報提供元を特定できるコード）、企業表示テキスト（ナビ表示用情報提供企業名テキスト情報）、企業表音文字列（ナビ発話用情報提供企業名表音文字列情報）、情報コード（コンテンツを特定できる情報コード）、情報表示テキスト（ナビ表示用コンテンツ内容テキスト情報）、情報表音文字列（ナビ発話用コンテンツ内容表音文字列情報）、及び嗜好データカテゴリー（情報が該当する情報カテゴリーを示すカテゴリーコード）が含まれる。
【００２３】
ＩＤ＝０３は、ＩＤ＝０２と同様に、コンテンツの分類となっており、即時再生/蓄積コード（受信後のコンテンツ再生動作を表すコード）、及び再生条件コード（情報提供エリアでのコンテンツ再生条件を示すコード）が含まれる。
【００２４】
ＩＤ＝０４は、有効期限の分類となっており、開始年月日時分秒（コンテンツの有効期限）、及び終了年月日時分秒（コンテンツの有効期限）が含まれる。ＩＤ＝０５は、提供時間の分類となっており、営業時間（コンテンツ提供元の営業時間）、及び情報提供時間（コンテンツ提供時間）が含まれる。
【００２５】
ＩＤ＝１０は、対象地点の分類となっており、対象地点座標（サービス提供可能な地点の緯度経度情報）、対象地点表示用テキスト（サービス名称（店舗名称等））、提携駐車場情報（対象地点以外の提携駐車場情報）、アイコン表示画像データ（サービス提供可能な場所を表すアイコンのデータ）、表示用文字データ（サービスの説明用テキスト情報）、表示画像データ（サービスを表す静止画情報）、表音文字列データ（サービスを表す表音文字列情報）、圧縮音声データ（圧縮音声データ情報）、音声再生順（表音文字列と圧縮音声の再生順序を表す）、ビデオデータ（ビデオデータ情報）、及びＵＲＬ（サービスを表すＵＲＬ情報）が含まれる。
【００２６】
ＩＤ＝２０は、情報提供地点の分類となっており、計５個の情報提供地点について、情報提供中心座標（ポップアップ情報を再生する緯度経度情報）、情報提供エリア（ポップアップ情報を再生するエリアを定義する中心座標からの半径情報）、情報提供方向コード（ポップアップ情報を再生する情報提供方向情報）、情報提供道路種別（ポップアップ情報を再生する道路種別情報）、表示画像データ（ポップアップ再生する静止画のデータ）、表音文字列データ（ポップアップ再生する表音文字列情報）、圧縮音声データポップアップ再生する圧縮音声のデータ）、及び音声再生順（ポップアップ再生する音声データの再生順番を表すコード）が含まれる。
【００２７】
ＩＤ＝３０は、遷移情報の分類となっており、計８個の次再生情報コード（ 画面遷移情報）が含まれる。ＩＤ＝４０は、詳細情報の分類となっており、計８個の各詳細情報について、表示用文字データ（ナビ表示用詳細情報テキスト情報）、及び発話用表音文字列（ナビ発話用詳細情報表音文字列情報）が含まれる。
【００２８】
ＩＤ＝５０は、駐車場情報の分類となっており、計１２７個の駐車情報について、駐車場ＩＤ（駐車場を特定できるＩＤ）、詳細情報（駐車場の動的詳細情報）、特記事項（駐車場の特記事項）、及び特記事項表音文字列（ナビ発話用特記事項表音文字列）が含まれる。ＩＤ＝６０は、運転支援の分類であり、運転支援画像データ（運転支援画像情報）、運転支援表音文字列（データ運転支援表音文字列情報）、運転支援圧縮音声（データ運転支援圧縮音声情報）、及び音声再生順（表音文字列と圧縮音声の再生順序を表す）が含まれる。
【００２９】
ＩＤ＝８０は、嗜好データの分類であり、計１２７個の各嗜好データのテーブルについて、嗜好データバージョン（嗜好データのテーブルのバージョン情報）、嗜好データテーブル（ 嗜好データのテーブルの表示用テキスト情報）、表音文字列（嗜好データのテーブルの発話用表音文字列情報）、及び詳細情報（嗜好データのテーブルの詳細情報）が含まれる。
【００３０】
図４は路側装置１５−ＩＴＳ車載器１７間のトランザクションで実施される各機器間の通信及び処理を示している。路側機１１及びサーバ１２は路側装置１５を構成する。ＩＴＳ車載器１７はＤＳＲＣ部１８及びナビ部１９を有している。時間順に説明する。なお、路側機１１−ＤＳＲＣ部１８間の通信はＤＳＲＣの電波で行われ、路側機１１−サーバ１２間及びＤＳＲＣ部１８−ナビ部１９間の通信は通常、ケーブルで行われる。
【００３１】
ＩＴＳ車載器１７において電源が投入されるのに伴い、Ｓ１０では、ナビ部１９からＤＳＲＣ部１８へクライアントインフォメーションデータが書き込まれる。ＩＴＳ車載器１７を搭載する自動車１３が路側機１１との通信可能な距離（例：約３０ｍ）の電波到達エリアに進入するのに伴い、Ｓ１１では、路側機１１−ＤＳＲＣ部１８間でＤＳＲＣ接続処理が実施される。
【００３２】
Ｓ１１のＤＳＲＣ接続処理が終了すると、Ｓ１２，Ｓ１３でＤＳＲＣ接続通知が行われる。Ｓ１２の接続通知は路側機１１からサーバ１２へのものであり、Ｓ１３の接続通知はＤＳＲＣ部１８からナビ部１９へのものである。Ｓ１４では、クライアントインフォメーションがＤＳＲＣ部１８から路側機１１を経てサーバ１２へ通知される。
【００３３】
サーバ１２は、ＤＳＲＣ部１８の一意に付番された車載器IDを読み取りＩＴＳ車載器１７のユーザが会員か非会員かを判別したり、通信確立後にDSRC部18から通知されるクライアントインフォメーションに基づき、ＩＴＳ車載器１７でコンテンツを適正に再生するためのＩＴＳ車載器１７のハードウェア情報を知得する。Ｓ１８では、サーバ１２から路側機１１及びＤＳＲＣ部１８を経てナビ部１９へＷｅｌｃｏｍｅ画面等のコンテンツを送信する。該コンテンツはマルチコンテンツフォーマットで編成されている。ナビ部１９は、マルチコンテンツフォーマットからサービス事業者を判断する。
【００３４】
サーバ１２は、Ｓ１８後、ナビ部１９がアップリンク情報をＤＳＲＣ部１８に書き込むまで、Ｓ１９でＤＳＲＣ部１８に対して定期的にポーリングを行う。Ｓ２０では、ナビ部１９は、ＩＴＳ車載器１７のユーザが該サービス事業者の会員と判断すると、アップリンク情報をＤＳＲＣ部１８に書き込むのに対し、会員でなければ、何もしない。
【００３５】
Ｓ２４では、サーバ１２は、路側機１１及びＤＳＲＣ部１８を経由してデフォルトのコンテンツ（例：公共サービス情報等）をナビ部１９へ送る。Ｓ２９では、サーバ１２は、ＤＳＲＣ部１８に対してメモリアクセスポーリングを実施する。これに対して、Ｓ３０では、ＤＳＲＣ部１８は、ユーザが会員であれば、アップリンク情報をサーバ１２へ通知する。
【００３６】
Ｓ３３では、サーバ１２は、アップリンク情報から取得した会員情報に基づき会員趣向に適した蓄積型コンテンツをマルチコンテンツフォーマット（図２）で編成してＩＴＳ車載器１７へ配信する。Ｓ３４では、蓄積型コンテンツの配信終了を通知する。ＩＴＳ車載器１７を搭載する自動車１３は、配信終了に伴い路側機１１との通信エリアから退出する。
【００３７】
図５はＩＴＳ車載器１７から路側装置１５へ送られるアップリンク情報のデータ概略説明図である。アップリンク情報は、複数のタグで送られる。タグ１には、サービス事業者コード、目的地（緯度経度）、経由地（緯度経度）１〜５、累計走行距離、嗜好ジャンルデータバージョン、嗜好ジャンルデータ、会員情報１〜８が含められる。タグ２には、サービス事業者コード、過去立寄り地（緯度経度）１〜４１が含められる。タグ３には、サービス事業者コード、過去立寄り地（緯度経度）４２〜８２が含められる。
【００３８】
タグ４には、サービス事業者コード、受信／再生履歴（受信情報コード及び再生識別フラグ）１〜１２３が含められる。タグ５には、サービス事業者コード、受信／再生履歴（受信情報コード及び再生識別フラグ）１２４〜２４６が含められる。
【００３９】
図５から明らかなように、過去立寄り地情報は、利用者が契約したサービス事業者毎に複数保持可能になっている。過去立寄り地情報では、各過去立寄り地情報当たり直近計８２個の過去立寄り地が登録される。過去立寄り地が８２個を超えた場合には、最古の過去立寄り地が最新の過去立寄り地に上書きされる。また、ＩＴＳ車載器１７内の過去立寄り地情報は、路側機１１への送信に伴い、全部、リセットされる。各過去立寄り地は、緯度経度により表され、その駐車時刻も併せて登録される。ＩＴＳ車載器１７は、サービス事業者の通信エリアに進入すると、該サービス事業者に対応する過去立寄り地情報を路側機１１へ送信するようにしている。
【００４０】
ＩＴＳ車載器１７は、それへの自動車バッテリからの給電が切れた時にその時の地点を過去立寄り地として過去立寄り地情報に登録する。エンジンキーが、抜かれることなく、オン位置からアクセサリ位置へ切替えられて該アクセサリ位置に維持されている期間は、自動車バッテリからＩＴＳ車載器１７への給電は維持されているので、その時点では、停止地点は過去立寄り地情報に過去立寄り地として登録されていない。しかし、その状態で、運転者が発進のために、エンジンキーをアクセサリ位置からスタート位置に切替えて、エンジンを始動すると、ＩＴＳ車載器１７への自動車バッテリからの給電は一時的に切れるので、その時に該地点が過去立寄り地情報に過去立寄り地として登録される場合がある。
【００４１】
ＩＴＳ車載器１７では、過去立寄り地情報の適正化のために、過去立寄り地情報に登録する駐車地点を選別する。過去立寄り地情報への登録外とする駐車地点は、アイドリングストップに伴う駐車地点と推測されるものを含む。駐車時間が所定値以下である駐車地点や、ナビ部１９の地図データと照合して交差点信号機近くの道路上である駐車地点や、ビーコンシステム等から受信した渋滞情報と照合して大渋滞中の道路上である駐車地点は過去立寄り地情報への登録外とする。
【００４２】
さらに、ＩＴＳ車載器１７はユーザが登録外を適宜、設定することができる仕様にすることもできる。ユーザは個別の地点、地域範囲又は時間帯を設定して、該個別の地点、該地域範囲に含まれる地点又は該時間帯に駐車時刻が含まれる地点を過去立寄り地情報の登録外にすることができる。
【００４３】
図６は車載器５０のブロック図である。車載器５０は、路側機の通信エリアへの進入に伴い、過去立寄り地を含むアップリンク情報を路側機へ無線で送信する。車載器５０の具体例はＩＴＳ車載器１７である。車載器５０及び後述の路側装置６０（図７）は、ＤＳＲＣでデータを送受するものに限定されない。その他の通信規格やデータ形式に対応するものであってもよい。車載器５０は、駐車地点検出手段５１、判定手段５２及び過去立寄り地登録手段５３を備えている。
【００４４】
駐車地点検出手段５１は、車載器５０の電源が切られた地点を駐車地点として検出する。判定手段５２は、検出した駐車地点がアップリンク情報の過去立寄り地として適正なものであるか否かを判定する、過去立寄り地登録手段５３は、検出した駐車地点がアップリンク情報の過去立寄り地として適正なものであれば該駐車地点をアップリンク情報の過去立寄り地として登録する。
【００４５】
具体例として、（ａ）駐車地点検出手段５１が検出した駐車地点は、一旦すべて過去立寄り地情報に過去立寄り地として登録し、アップリンク前までに過去立寄り地情報から不適正な過去立寄り地を除去し、それをアップリンク情報として路側機へ送信する場合と、（ｂ）適正な駐車地点だけを選別して過去立寄り地情報に登録し、該過去立寄り地情報をそのままアップリンク情報として路側機へ送信する場合とがある。過去立寄り地登録手段５３は、（ａ）の場合では、過去立寄り地情報から適正な過去立寄り地だけを選別してアップリンク情報に登録するものとなり、（ｂ）の場合では、過去立寄り地情報の作成に関与する。過去立寄り地情報の登録数に制約がある場合、（ａ）の場合では、不適正な過去立寄り地も過去立寄り地情報に登録されてしまい、その中から選別したものだけをアップリンク情報に含めることになるので、アップリンク情報内の過去立寄り地の個数が減少してしまう。これに対し、（ｂ）の場合には、この弊害を抑制することができる。
【００４６】
典型的には、（ｕ１）駐車時間が所定時間以内である駐車地点、（ｕ２）ナビゲーション装置に自宅として地点登録されている駐車地点、（ｕ３）ユーザが立寄り地として登録禁止している地点である駐車地点、（ｕ４）ユーザが立寄り地として登録禁止している所定の地域範囲内に含まれる駐車地点、又は（ｕ５）ユーザが立寄り地として登録禁止している時間帯に駐車時刻が含まれる駐車地点がある。判定手段５２は、（ｕ１）〜（ｕ５）の駐車地点はいずれもアップリンク情報の過去立寄り地として不適正であると、判定する。
【００４７】
（ｕ１）〜（ｕ５）について、逆に言うと、（ｖ１）駐車時間が所定時間を超える駐車地点、（ｖ２）ナビゲーション装置に自宅としては地点登録されていない駐車地点、（ｖ３）ユーザが立寄り地として登録許容している地点である駐車地点、（ｖ４）ユーザが立寄り地として登録許容している所定の地域範囲内に含まれる駐車地点、又は（ｖ５）ユーザが立寄り地として登録許容している時間帯に駐車時刻が含まれる駐車地点がある場合には、判定手段５２は、これら（ｖ１）〜（ｖ５）の駐車地点はいずれもアップリンク情報の過去立寄り地として適正であると、判定するということである。
【００４８】
上述（ｕ１）の場合として、所定時間を例えば３分に設定し、これにより、ほとんどのアイドリングストップ地点をアップリンク情報から排除することができる。（ｕ１）の変形例として、駐車時間が別の所定時間（例えば１日）以上となっている駐車地点を不適正な過去立寄り地と判定することもできる。（ｕ２）について、自宅は、通常、ユーザがサービス事業者と契約してその会員になる時にサービス事業者へ提出した会員情報の住所に含まれているので、コンテンツ配信のサービス事業者はこれを再度知る必要はなく、また、自宅以外の過去立寄り地をより多く知りたいので、自宅を登録から排除することには意義がある。
【００４９】
（ｕ３）〜（ｕ５）の駐車地点は、ユーザ設定により過去立寄り地の登録から排除できるようにしたものである。登録排除の駐車地点を個別に設定できるようにしたり、所定の地域内の駐車地点はすべて登録から排除したり、深夜や特定の曜日に係る所定の時間帯の駐車地点は登録から排除したりできるようにする。なお、前述の図６の過去立寄り地情報に関連して説明したように、路側装置６０へ送信する典型的な過去立寄り地情報には、駐車地点の緯度経度の他に、駐車した年月日時分も含めるようになっており、それらに基づき駐車時刻の属する曜日や時間帯を支障なく割り出すことができる。
【００５０】
通常のカーライフの生活圏は、自宅から半径５ｋｍ圏内とされている。判定手段５２は、過去立寄り地に基づきユーザの活動圏を割り出し、例えば活動圏が自宅から２ｋｍ以内のユーザには、２ｋｍを超える地域範囲の広告情報等は必要性が小さいと判断し、これに基づき（ｕ４）の地域範囲、すなわち自宅から半径２ｋｍ範囲の外の地域範囲を登録不適正の地域範囲に設定することができる。
【００５１】
判定手段５２は、地図データとの照合に基づき駐車地点がアップリンク情報の過去立寄り地として適正なものであるか否かを判定することができる。具体的には、例えば、駐車地点をカーナビゲーション装置の地図データと照合したら、交差点手前の道路上等、常識上駐車とは考えられないような地点になっているような場合、該駐車地点はアイドリングストップ地点とかエンスト地点と判断することができる。その際、立寄り地点は、緯度経度情報（図６）に対応する地点を地図データの緯度経度情報と照合して、そこがどのような場所かを判断する。
【００５２】
アップリンク情報の過去立寄り地に登録するか否かの判定については、さらに、次のようなことも可能になる。過去立寄り地点について統計をとり、立寄り地が密になっていたり、疎になっていたりする地域範囲を抽出する。そして、特定の地域範囲内又は外の駐車地点を選別して、アップリンク情報の過去立寄り地として登録したり又はしなかったりする。
【００５３】
過去立寄り地について車載器５０により選別されたアップリンク情報を受信した路側装置は、例えば該アップリンク情報を車載器５０へ配信するコンテンツの選別に利用する。該コンテンツには例えば広告情報に係るコンテンツが含まれる。路側装置は、過去立寄り地について価値の高いアップリンク情報を入手して、これに基づきコンテンツ選別等の処理を適正化することができる。
【００５４】
図７は路側装置６０のブロック図である。路側装置６０は、路側機の通信エリアへ進入して来た車載器５０から、過去立寄り地を含むアップリンク情報を路側機へ無線で受信するものである。路側装置６０の具体例は路側装置１５（図２）である。路側装置６０は判定手段６１及び除外手段６２を備えている。この路側装置６０は、車載器５０のような登録選別処理を行っていない車載器に対応するものである。車載器が車載器５０のような登録選別処理を行っていれば、路側装置６０に代えて従来の路側装置を採用することができる。
【００５５】
判定手段６１は、アップリンク情報の過去立寄り地が、車載器５０のユーザへのコンテンツ配信の基にするユーザ情報として適正なものであるか否かを判定する。除外手段６２は、アップリンク情報の過去立寄り地が立寄り地として不適正なものであれば該過去立寄り地をユーザ情報から除外する。
【００５６】
典型的には、判定手段６１は、路側装置６０が装備する地図データとの照合に基づき駐車地点がアップリンク情報の過去立寄り地として適正なものであるか否かを判定する。
【００５７】
路側装置６０は、こうして、車載器５０から収集した過去立寄り地の情報を該車載器５０のユーザへの広告等のコンテンツ配信に利用する。配信するコンテンツを含むダウンリンク情報のＩＤ＝１０やＩＤ＝２０は、該コンテンツに関係する対象地点や情報提供地点の緯度経度情報を含むので、路側装置６０は、車載器５０からの過去立寄り地に関連深いコンテンツを選別して、それらを該車載器５０へ送る。
【００５８】
図８は車載器制御方法７０のフローチャートである。車載器制御方法７０は車載器５０に適用される。Ｓ７１では、車載器５０の電源が切られた地点を駐車地点として検出する。Ｓ７２では、検出した駐車地点がアップリンク情報の過去立寄り地として適正なものであるか否かを判定し、判定が正であれば、Ｓ７３へ進み、否であれば、車載器制御方法７０を終了する。Ｓ７３では、該駐車地点をアップリンク情報の過去立寄り地として登録する。
【００５９】
Ｓ７１〜Ｓ７３の処理は、車載器５０（図６）の駐車地点検出手段５１〜過去立寄り地登録手段５３の機能にそれぞれ対応している。したがって、駐車地点検出手段５１〜過去立寄り地登録手段５３の機能について述べた具体的態様はＳ７１〜Ｓ７３の処理についての具体的態様としても適用可能である。
【００６０】
図９は路側装置制御方法８０のフローチャートである。路側装置制御方法８０は路側装置６０に適用される。Ｓ８１では、アップリンク情報の過去立寄り地が、車載器５０のユーザへのコンテンツ配信の基にするユーザ情報として適正なものであるか否かを判定し、判定が正であれば、路側装置制御方法８０を終了し、否であれば、Ｓ８２へ進む。Ｓ８２では、該過去立寄り地をユーザ情報から除外する。
【００６１】
Ｓ８１，Ｓ８２の処理は、路側装置６０（図７）の判定手段６１及び除外手段６２の機能にそれぞれ対応している。したがって、判定手段６１及び除外手段６２の機能について述べた具体的態様はＳ８１，Ｓ８２の処理についての具体的態様としても適用可能である。
【００６２】
本発明を適用したプログラムは、コンピュータを車載器５０の各手段として機能させる。本発明を適用した別のプログラムは、車載器制御方法７０の各ステップをコンピュータに実行させる。
【００６３】
本明細書は様々な範囲及びレベルの発明を開示している。それら発明は、本明細書で説明した様々な技術的範囲及び具体的レベルの各装置及び各方法だけでなく、当業者の自明の範囲内で、各装置及び各方法から独立の作用、効果を奏する１つ又は複数の要素を抽出したものや、１つ又は複数の要素を自明の範囲で変更したものや、さらに、各装置間及び各方法間で１つ又は複数の要素の組合せを入れ換えたものを含む。
【符号の説明】
【００６４】
５０：車載器、５１：駐車地点検出手段、５２：判定手段、５３：過去立寄り地登録手段、６０：路側装置、６１：判定手段、６２：除外手段、７０：車載器制御方法、８０：路側装置制御方法。
【図１】
2010186480.tif 000003
【図２】
2010186480.tif 000004
【図３】
2010186480.tif 000005
【図４】
2010186480.tif 000006
【図５】
2010186480.tif 000007
【図６】
2010186480.tif 000008
【図７】
2010186480.tif 000009
【図８】
2010186480.tif 000010
【図９】
2010186480.tif 000011